(57)【特許請求の範囲】
【請求項１】
複数の領域間で移動可能に設置される１または複数の印刷装置と、
前記複数の領域に出入りする利用者、前記複数の領域における前記印刷装置の設置領域を管理する管理装置と、
を具備し、
前記管理装置は、
前記複数の領域の入出口近傍に配設され、該領域に出入りする前記利用者を検出する利用者検出手段と、
前記印刷装置に対する前記利用者の操作を検出する操作検出手段と、
利用者検出手段の検出出力および操作検出手段の検出出力に基づき前記利用者の前記領域に対する出入り履歴および前記印刷装置に対する前記利用者の操作履歴を収集する収集手段と、
前記収集手段により収集した前記利用者の前記領域に対する出入り履歴および前記印刷装置に対する前記利用者の操作履歴に基づき前記印刷装置が他の領域へ移動したと判別して前記印刷装置が設置されている領域を特定する判別手段と
を具備する印刷装置設置領域管理システム。
【請求項２】
前記管理装置は、
前記判別手段による判別結果に基づき前記印刷装置が設置されている領域を前記領域に対応して表示する表示手段
を更に具備する請求項１記載の印刷装置設置領域管理システム。
【請求項３】
前記利用者検出手段は、
前記領域の入口の近傍に配設され、前記利用者が携帯するカードに記録された情報の読み取り操作を伴う認証処理により認証された該利用者が該領域に入ることを許可する第１のカード読取装置と、
前記領域の出口の近傍に配設され、前記利用者が携帯するカードに記録された情報の読み取り操作を伴う認証処理により認証された該利用者が該領域から出ることを許可する第２のカード読取装置と
を具備する請求項１記載の印刷装置設置領域管理システム。
【請求項４】
前記印刷装置は、
前記利用者が携帯するカードに記録された情報の読み取り操作を伴う認証処理により認証された該利用者に対してのみ該印刷装置に対する操作を許可する認証手段をさらに具備する
請求項１記載の印刷装置設置領域管理システム。
【請求項５】
前記判別手段は、
前記収集手段により新たに操作履歴が収集された印刷装置を操作した利用者の領域を前記出入り履歴から特定する第１の特定手段と、
前記収集手段により操作履歴が新たに収集して登録される前の時点において、前記収集手段により新たに操作履歴が収集された印刷装置に関する最新の操作履歴がある場合は、該最新の操作履歴に記録された利用者の領域を前記出入り履歴から特定する第２の特定手段と、
を具備し、
前記第１の特定手段、前記第２の特定手段にて領域が特定でき、かつ、前記第１の特定手段にて特定される領域と前記第２の特定手段にて特定される領域とが一致しない場合は、前記第１の特定手段にて特定される領域に該印刷装置が移動したと判別する
請求項１記載の印刷装置設置領域管理システム。
【請求項６】
複数の領域の入出口近傍に配設され、該領域に出入りする利用者を検出する利用者検出手段と、
前記複数の領域間で移動可能に設置される１または複数の印刷装置に対する前記利用者の操作を検出する操作検出手段と、
前記利用者検出手段の検出出力および前記操作検出手段の検出出力に基づき前記利用者の前記領域に対する出入り履歴および前記印刷装置に対する前記利用者の操作履歴を収集する収集手段と、
前記収集手段により収集した前記利用者の前記領域に対する出入り履歴および前記印刷装置の操作履歴に基づき、前記印刷装置が設置されている領域を判別する判別手段と、
前記判別手段による判別結果に基づき前記印刷装置が設置されている領域を前記領域に対応して表示する表示手段と
を具備する印刷装置設置領域特定装置。
【請求項７】
コンピュータを、
複数の領域の入出口近傍に配設され、該領域に出入りする利用者を検出する利用者検出手段の検出出力および前記複数の領域間で移動可能に設置される１または複数の印刷装置に対する操作を検出する操作検出手段の検出出力に基づき前記利用者の前記領域に対する出入り履歴および前記印刷装置に対する操作履歴を収集する収集手段、
前記収集手段により収集した前記利用者の前記領域に対する出入り履歴および前記印刷装置の操作履歴に基づき前記印刷装置が設置されている領域を判別する判別手段、
前記判別手段による判別結果に基づき前記印刷装置が設置されている領域を前記領域に対応して表示手段に表示させる表示制御手段
として機能させる印刷装置設置領域特定プログラム。
【発明の詳細な説明】
【技術分野】
【０００１】
本発明は、移動可能な印刷装置の設置領域を、印刷装置に対するユーザの操作履歴、固定施設に対するユーザの利用履歴から特定して管理する印刷装置設置領域管理システム、印刷装置設置領域特定装置、印刷装置設置領域特定プログラムに関する。
【背景技術】
【０００２】
プリンタの位置を特定する従来の技術として、特許文献１の「ネットワークシステムの制御方法及び装置及び画像処理装置」では、使用する装置を選定する際、各装置の設置領域を表示するとともに、各装置の物理的位置を考慮した選定が容易に行えるようにすることを課題とし、コンピュータは、使用可能な各装置からネットワークを介してステータス情報と設置場所情報とを含む装置情報を収集し、収集した各装置の設置場所情報に基づいて各装置の設置場所と稼動状態を表示する技術が開示されている。
【０００３】
また、プリンタの位置を特定する別の従来の技術として、特許文献２の「プリンタ用警報装置およびプリントサーバ」では、利用者の位置からプリンタの状態表示またはプリンタ自体が見えない位置にプリンタが設置されている場合でも、利用者がプリンタの状態を容易に把握できるようにしてプリンタを効率利用することを課題とし、予め定めた複数の状態のうちプリンタがどの状態であるかを制御信号にて検知し、その情報に応じて音声メッセージ、音響信号等の警報音を発する技術が開示されている。
【０００４】
また、ユーザ近くのプリンタを検索する従来の技術として、特許文献３の「位置確認プリンタシステム」では、プリンタおよび携帯端末に対して位置情報検知手段およびネットワークアクセス手段を搭載し、地図情報検索手段及びプリンタ設置情報検索手段を有するネットワークサーバとプリンタと携帯端末で構成されるネットワークを形成し、携帯端末にて位置情報を検知し、ネットワークサーバに送信し、ネットワークサーバは、携帯端末から受信した位置情報に基づいて、携帯端末に最も近いプリンタの設置場所の一覧を通知する情報を作成し、携帯端末に送信する技術が開示されている。
【特許文献１】特開平０８−０６８８４号公報
【特許文献２】特開平０９−０９７１４６号公報
【特許文献３】特開２００６−１９５７６５号公報
【発明の開示】
【発明が解決しようとする課題】
【０００５】
本発明は、移動可能な印刷装置の設置領域を管理する印刷装置設置領域管理システム、印刷装置設置領域特定装置、印刷装置設置領域特定プログラムの提供を目的とする。
【課題を解決するための手段】
【０００６】
上記課題を解決するために、請求項１の発明は、複数の領域間で移動可能に設置される１または複数の印刷装置と、前記複数の領域に出入りする利用者、前記複数の領域における前記印刷装置の設置領域を管理する管理装置とを具備し、前記管理装置は、前記複数の領域の入出口近傍に配設され、該領域に出入りする前記利用者を検出する利用者検出手段と、前記印刷装置に対する前記利用者の操作を検出する操作検出手段と、利用者検出手段の検出出力および操作検出手段の検出出力に基づき前記利用者の前記領域に対する出入り履歴および前記印刷装置に対する前記利用者の操作履歴を収集する収集手段と、前記収集手段により収集した前記利用者の前記領域に対する出入り履歴および前記印刷装置に対する前記利用者の操作履歴に基づき前記印刷装置が他の領域へ移動したと判別して前記印刷装置が設置されている領域を特定する判別手段とを具備する。
【０００７】
また、請求項２の発明は、請求項１の発明において、前記管理装置は、前記判別手段による判別結果に基づき前記印刷装置が設置されている領域を前記領域に対応して表示する表示手段を更に具備する。
【０００８】
また、請求項３の発明は、請求項１の発明において、前記利用者検出手段は、前記領域の入口の近傍に配設され、前記利用者が携帯するカードに記録された情報の読み取り操作を伴う認証処理により認証された該利用者が該領域に入ることを許可する第１のカード読取装置と、前記領域の出口の近傍に配設され、前記利用者が携帯するカードに記録された情報の読み取り操作を伴う認証処理により認証された該利用者が該領域から出ることを許可する第２のカード読取装置とを具備する。
【０００９】
また、請求項４の発明は、請求項１の発明において、前記印刷装置は、前記利用者が携帯するカードに記録された情報の読み取り操作を伴う認証処理により認証された該利用者に対してのみ該印刷装置に対する操作を許可する認証手段をさらに具備する。
【００１０】
また、請求項５の発明は、請求項１の発明において、前記判別手段は、前記収集手段により新たに操作履歴が収集された印刷装置を操作した利用者の領域を前記出入り履歴から特定する第１の特定手段と、前記収集手段により操作履歴が新たに収集して登録される前の時点において、前記収集手段により新たに操作履歴が収集された印刷装置に関する最新の操作履歴がある場合は、該最新の操作履歴に記録された利用者の領域を前記出入り履歴から特定する第２の特定手段とを具備し、前記第１の特定手段、前記第２の特定手段にて領域が特定でき、かつ、前記第１の特定手段にて特定される領域と前記第２の特定手段にて特定される領域とが一致しない場合は、前記第１の特定手段にて特定される領域に該印刷装置が移動したと判別する。
【００１１】
また、請求項６の発明は、複数の領域の入出口近傍に配設され、該領域に出入りする利用者を検出する利用者検出手段と、前記複数の領域間で移動可能に設置される１または複数の印刷装置に対する前記利用者の操作を検出する操作検出手段と、前記利用者検出手段の検出出力および前記操作検出手段の検出出力に基づき前記利用者の前記領域に対する出入り履歴および前記印刷装置に対する前記利用者の操作履歴を収集する収集手段と、前記収集手段により収集した前記利用者の前記領域に対する出入り履歴および前記印刷装置の操作履歴に基づき、前記印刷装置が設置されている領域を判別する判別手段と、前記判別手段による判別結果に基づき前記印刷装置が設置されている領域を前記領域に対応して表示する表示手段とを具備する。
【００１２】
また、請求項７の発明は、コンピュータを、複数の領域の入出口近傍に配設され、該領域に出入りする利用者を検出する利用者検出手段の検出出力および前記複数の領域間で移動可能に設置される１または複数の印刷装置に対する操作を検出する操作検出手段の検出出力に基づき前記利用者の前記領域に対する出入り履歴および前記印刷装置に対する操作履歴を収集する収集手段、前記収集手段により収集した前記利用者の前記領域に対する出入り履歴および前記印刷装置の操作履歴に基づき前記印刷装置が設置されている領域を判別する判別手段、前記判別手段による判別結果に基づき前記印刷装置が設置されている領域を前記領域に対応して表示手段に表示させる表示制御手段として機能させる。
【発明の効果】
【００１３】
本発明の印刷装置設置領域管理システム、印刷装置設置領域特定装置、印刷装置設置領域特定プログラムによれば、印刷装置に対するユーザの操作履歴とゲート等の固定施設に対するユーザの出入り履歴とによって、印刷装置の設置領域の特定、あるいは、設置領域の移動を検出して特定するので、位置測定のための部品、装置を印刷装置に特別に設けることなく印刷装置の設置領域を特定することができる。
【発明を実施するための最良の形態】
【００１４】
本発明の実施例について、添付図面を参照しながら説明する。
【００１５】
図１は、本願発明の印刷装置設置領域管理システムの概要を示す。
【００１６】
図１において、履歴管理装置１００は、土地、建物、フロア等の各領域（エリアＡ及至Ｈ）の境界にゲート部５０（５０Ａ及至Ｈ）がそれぞれ設置され、各ゲート部５０の入出口の近傍に配設されたカード読取装置５２（５２Ａ及至Ｈ）にユーザがＩＣカード９０（９０Ａ、９０Ｂ）を翳してゲート部５０のロックを解除することによって各エリアに出入りするユーザの出入り情報を出入り履歴１０２に記録して管理する。
【００１７】
また、履歴管理装置１００は、ユーザが携帯するＩＣカード９０の読取手段を備え、ユーザが携帯するＩＣカード９０をカード読取部に翳す操作を要求し、カード読取部にて読み取ったＩＣカード６３の記録データに基づいてユーザの使用可否を判断する認証機能を備えたプリンタ３０（３０Ａ、３０Ｂ）およびＰＣ２０を含むシステム内の装置に対するユーザ操作を操作履歴１０３に記録して管理する。
【００１８】
履歴管理装置１００は、ユーザＡ７１がエリアＡに立ち入ったことを示す出入り情報を出入り履歴１０２から読み取り、ユーザＡ７１がプリンタＡ（３０Ａ）にて印刷を行ったことを示す操作情報を操作履歴１０３から読み取り、ユーザＡ７１が、ユーザＡが携帯するＩＣカード９０Ａをカード読取装置５２Ａに翳し、ゲートＡのロックを解除してエリアＡから立ち去り、その後、ＩＣカード９０Ａをカード読取装置５２Ｇに翳し、ゲートＧのロックを解除してエリアＧに立ち入ったことを示す出入り情報を出入り履歴１０２から読み取り、ユーザＡ７１がプリンタＡ（３０Ａ）にてテスト印刷をした操作情報を操作履歴１０３から読み取り、プリンタＡ（３０Ａ）の設置領域がエリアＡからエリアＧに移動したことを特定する。
【００１９】
また、履歴管理装置１００は、ＰＣ２０からの問合せにより、問合せ元のＰＣ２０近くの使用可能なプリンタの設置領域を、ユーザの出入りを監視するエリアに対応付けて表示するための情報を問合せ元のＰＣ２０に提供する。
【００２０】
例えば、カード読取装置５２ＤにユーザＢ７２が携帯するＩＣカード９０Ｂを翳し、ゲートＤのロックを解除してエリアＤに立ち入り、ＰＣ２０にログインして近くの利用可能なプリンタの設置領域の問合せ操作を行うと、ＰＣ２０は、自装置が設置されているエリアＤの識別情報を履歴管理装置１００に通知し、ＰＣ２０の設置領域近くの使用可能なプリンタの設置領域を問合せ、プリンタＡ（３０Ａ）に対応するプリンタアイコン２７を、エリアＧを示す表示領域にて強調表示したプリンタ設置領域案内画面２６を表示装置２１に出力する。
【００２１】
図２は、操作履歴１０３と出入り履歴１０２によるプリンタの設置領域を特定する例を示す。
【００２２】
図２において、ユーザＡ７１によるエリアへの出入りを示すイベントは、イベント３０１、イベント３０２、イベント３０３、イベント３０４であり、ユーザＢ７２によるエリアへの出入りを示すイベントは、イベント３０５、イベント３０６、イベント３０７、イベント３０８であり、ユーザＣ７３によるエリアへの出入りを示すイベントは、イベント３０９、イベント３１０、イベント３１１、イベント３１２である。
【００２３】
また、プリンタＢ（３０Ｂ）に対するユーザ操作を示すイベントは、イベント３１４、イベント３１５、イベント３１６、イベント３１７、イベント３１８である。
【００２４】
プリンタＢ（３０Ｂ）に対するユーザ操作を示すイベント３１４、イベント３１５は、ユーザＡ７１によるプリンタの操作を示すイベントであり、このイベント３１４、イベント３１５が発生する前の時刻に発生しているイベント３０１によれば、ユーザＡ７１は、エリアＢに立ち入り、その後、エリアＢからの立ち去りを示すイベント３０２が発生する時刻までの間エリアＢにいたことが判明する。
【００２５】
よって、ユーザＡ７１に操作されたプリンタＢ（３０Ｂ）は、エリアＢに設置されていたことが判明する。
【００２６】
また、プリンタＢ（３０Ｂ）に対するユーザ操作を示すイベント３１６は、ユーザＢ７２による印刷操作を示し、このイベント３１６が発生した時刻よりも前に、ユーザＢ７２は、イベント３０５によりエリアＢに立ち入っていることが判明する。
【００２７】
よって、イベント３１６が発生するまでの間は、出入り情報を示すイベントが発生していないことにより、プリンタＢ（３０Ｂ）は、ユーザＢ７２がいるエリアＢにて操作されたことが判明する。
【００２８】
さらに、イベント３１６の次に発生したプリンタＢ（３０Ｂ）の操作イベント３１７によれば、ユーザＣ７３によってテスト印刷が行われたことが判明する。
【００２９】
このイベント３１７が発生した時刻よりも前に発生したユーザＣ７３の出入り情報を示すイベント３１１により、ユーザＣ７３は、エリアＣに立ち入っていることが判明する。
【００３０】
また、プリンタＢ（３０Ｂ）のイベント３１８によれば、ユーザＣ７３によって印刷操作が行われたことが判明し、ユーザＣ７３は、イベント３１１が発生した時刻からイベント３１２が発生する迄の間は、エリアＣにいることになり、プリンタＢ（３０Ｂ）は、エリアＣに移動された後、ユーザＣ７３によってテスト印刷が行われ、その後、文書印刷が行われたことが判明する。
【００３１】
次に、図１に示した、ＰＣ２０、プリンタ３０、ゲート管理装置４０、履歴管理装置１００の構成を図３のブロック図に示して説明する。
【００３２】
履歴管理装置１００は、履歴管理装置１００全体を統括して制御する履歴管理装置制御部１０９、履歴管理装置記憶部１０１を有し、履歴管理装置制御部１０９は、ユーザ管理部１１２、履歴管理部１１０、プリンタ管理部１１１を有し、履歴管理装置記憶部１０１は、出入り履歴１０２、操作履歴１０３、エリア定義情報１０４、ユーザ位置管理情報１０５、プリンタ位置管理情報１０６、ユーザ管理情報１０８をそれぞれ記録する。
【００３３】
履歴管理装置制御部１０９において、履歴管理部１１０は、ゲート管理装置４０以外のシステムに属する装置（ＰＣ２０、プリンタ３０等）から送られるユーザの操作情報を操作履歴１０３に記録して管理する。
【００３４】
さらに、プリンタ管理部１１１は、ユーザによるプリンタ３０の操作を、プリンタ３０から送信される操作情報に基づいて検出し、ユーザ操作を検出した時点におけるユーザの立ち入り領域をユーザ位置管理情報１０５を参照して特定し、特定した領域をプリンタ３０の設置領域としてプリンタ位置管理情報１０６に記録して管理する。
【００３５】
プリンタ管理部１１１は、システムに属する各プリンタの稼動状態を所定間隔にて監視し、監視結果をプリンタ位置管理情報１０６に記録する。
【００３６】
ユーザ管理部１１２は、ゲート部５０を介した特定のエリアに対する、立ち入り、立ち去りをゲート管理装置４０から通知される出入り情報に基づいて検出すると、その出入り情報を出入り履歴１０２に記録するとともに、受信した出入り情報にてユーザが立ち入っているエリアを特定し、特定したエリアをユーザ位置管理情報１０５に記録して管理する。
【００３７】
ユーザ管理部１１２は、ゲート管理装置４０から通知されるユーザの出入り情報を解析することにより、ユーザが立ち入っているエリアをエリア定義情報１０４に登録して管理されているエリアの識別名にて特定し、特定したエリアをユーザ管理情報１０８に記録して管理する。
【００３８】
出入り履歴１０２には、図４に示すように、ゲート部５０のロックを解除したＩＣカード９０に記録されたユーザを示すユーザＩＤ、ＩＣカード９０の読み取りが行われたカード読取装置５２が設置されている領域を示す領域ＩＤ、カード読取装置５２の装置識別情報を示すカード読取装置ＩＤ、ゲート部５０のロック解除操作を行った日時を示す操作日時、カード読取装置５２によるＩＣカード９０の読取による認証結果が記録される。
【００３９】
操作履歴１０３には、図４に示すように、ユーザ操作の監視対象となるシステム内の装置を識別する装置ＩＤ、装置を操作したユーザを示すユーザＩＤ、操作日時、操作の内容が記録される。
【００４０】
ユーザ管理情報１０８には、ユーザ名、ユーザの識別情報、各ユーザに発行されたＩＣカード９０に関する情報が記録して管理される。
【００４１】
エリア定義情報１０４には、ゲート部５０の入出口の近傍に配設されたカード読取装置５２の識別名、カード読取装置５２の設置領域、設置フロア、設置施設、土地を識別する情報が、履歴管理装置１００に接続可能な管理端末に対して管理者権限でログインした管理者による保守操作によって記録して管理される。
【００４２】
ユーザ位置管理情報１０５には、ユーザが立ち入っているエリアの情報が、エリア定義情報１０４に登録して管理されているエリアの識別名を用いて、ユーザ管理情報１０８に登録されたユーザ毎に記録して管理される。
【００４３】
プリンタ位置管理情報１０６には、プリンタ３０の設置領域の特定を行った日時を示す位置検出日時、プリンタ３０に対する新たなユーザ操作の検出により特定したプリンタ３０の設置領域を、エリア定義情報１０４に登録されたエリアの識別名を用いて示す設置領域、ネットワーク７０上におけるＩＰアドレス等によって示される論理的な位置情報、使用可能か否かを示す稼動状態が、プリンタ３０毎にそれぞれ記録して管理される。
【００４４】
プリンタ３０は、印刷制御部３１、カード読取部３２、操作情報送信部３３を有する。  印刷制御部３１は、印刷データあるいは印刷データの識別情報をプリンタの記憶手段に蓄積し、カード読取部３２に翳されるＩＣカード９０の読み取りによるユーザ認証によりプリンタの利用可否を判断し、受信した印刷データに対応するジョブの概要を操作パネルに出力し、選択されたジョブに対応する印刷データによる文書印刷を制御する。
【００４５】
操作情報送信部３３は、カード読取部３２で読み取られたＩＣカード９０の記録情報、プリンタ３０の装置識別情報、操作日時を記録した操作情報を履歴管理装置１００に送信して、操作履歴１０３に対するプリンタの操作情報の登録を指示する。
【００４６】
ゲート管理装置４０は、ゲート部５０の入出口の近傍に配設されたゲート開閉装置５１、カード読取装置５２に接続され、カード読取装置５２によるＩＣカード９０に記録された情報の読み取りによる認証処理の結果に基づいて、ゲート開閉装置５１によるゲート部５０のロック、ロック解除を制御し、ゲート部５０におけるユーザの出入りを検出する構成として、カード読取装置監視部４１、出入り情報通知部４２を有する。
【００４７】
カード読取装置監視部４１は、カード読取装置５２によるＩＣカード９０の読み取りを制御し、ゲート部５０のロック解除を実施するか否かを、ＩＣカード９０の読み取りデータに基づいたユーザ認証の結果により判断する。
【００４８】
ゲート部５０のロック解除を行った場合、カード読取装置監視部４１は、ＩＣカード９０の読み取りデータ、ＩＣカード９０が翳されたカード読み取り装置５２の識別名称を含んでユーザの特定エリアへの出入りの種別（立ち入り、立ち去り）を示す情報を記録したデータを出入り情報通知部４２に出力し、ゲート開閉装置５１にてゲート部５０のロックが解除されたことを通知する。
【００４９】
出入り情報通知部４２は、カード読取装置５２によるＩＣカード９０の読み取り結果、ＩＣカード９０の読み取りによってゲート開閉装置５１がゲート部５０のロックを解除した時刻およびＩＣカード９０の読み取りデータ、カード読取装置５２の装置識別情報を含む出入り情報を履歴管理装置１００に送信する。
【００５０】
ゲート部５０は、ゲート開閉装置５１、カード読取装置５２を有し、ゲート開閉装置５１は、通常はゲート部５０をロックし、ロック解除を指示する制御データをカード読取装置監視部４１から受け取った場合は、ゲート部５０のロックを一時的に解除する。
【００５１】
カード読取装置５２は、ユーザが翳したＩＣカード９０を非接触にて読み取り、ＩＣカード９０から読み取ったデータを、ゲート管理装置４０のカード読取装置監視部４１宛てに出力する。
【００５２】
ＰＣ２０は、ＰＣ２０近くの利用可能なプリンタの設置領域をユーザに報知するための構成として、プリンタ位置表示制御部２２、履歴通知部２３、カード読取制御部２４を有する。
【００５３】
プリンタ位置表示制御部２２は、ＰＣ２０にログインしたユーザによるプリンタ設置領域案内画面２６の表示操作を検出し、履歴管理装置１００が識別可能なＰＣ２０の識別情報、ＰＣ２０にログインしたユーザのユーザ識別情報を、ネットワーク６０を介して履歴管理装置１００に通知し、プリンタが設置されているエリアを画面に表示するためのデータ送信を要求し、履歴管理装置１００から受信したデータに基づいてプリンタ設置領域案内画面２６を表示装置２１に出力するための表示制御を行う。
【００５４】
カード読取制御部２４は、ＩＣカード読取部２５に翳されるＩＣカード９０の読み取り制御を行い、ＩＣカード９０の読み取り結果を履歴通知部２３に出力する。
【００５５】
履歴通知部２３は、ＰＣ２０に対するユーザのログイン、ログアウト操作、ＰＣ２０にインストールされている各アプリケーションプログラムに対するログインユーザの操作を検出し、検出した操作時刻、操作内容を示す操作情報を履歴管理装置１００に送信する。
【００５６】
カード読取制御部２４は、ＩＣカード読取部２５に翳されるＩＣカード９０の読み取り制御を行う。
【００５７】
次に、プリンタ設置領域特定処理の動作を図５のフローチャートに示して説明する。
【００５８】
プリンタ管理部１１１は、プリンタ３０の操作情報が履歴管理部１１０によって操作履歴１０３に新たに登録されたことを検出すると、操作されたプリンタ３０の識別情報を登録データから読み取り（Ｓ０１）、さらに、プリンタ３０を操作したユーザの識別情報（１）、操作日時（１）を登録データからそれぞれ読み取る（Ｓ０２）。
【００５９】
プリンタ管理部１１１は、ステップＳ０２の処理にて読み取ったユーザの識別情報（１）が記録された出入り履歴１０２の登録データを検索し、ステップＳ０２の処理にて読み取った操作日時（１）よりも前で、なおかつ、特定のエリアへの出入りを示す最新の登録データを検索し、操作ユーザ（１）の立ち入り領域（１）を、第１の領域として特定する（Ｓ０３）。
【００６０】
ステップ０１の処理にて操作履歴１０３への登録が新たに検出される前の時点において、登録されたデータであり、かつ、ステップＳ０１の処理にて読み取ったプリンタ３０の識別情報に対応する最新の操作情報を示す登録データを操作履歴１０３にて検索する（Ｓ０４）。
【００６１】
ステップＳ０４の検索処理において、検索条件を満たす登録データが無い場合（Ｓ０５ＮＯ）、プリンタ管理部１１１は、ステップＳ０３の処理にて特定した第１の領域を、ステップＳ０２の処理にて特定したプリンタ３０の設置領域としてプリンタ位置管理情報１０６に登録する（Ｓ１０）。
【００６２】
ステップＳ０４の検索処理にて検索条件を満たす登録データが取得できた場合（Ｓ０５ＹＥＳ）、プリンタ管理部１１１は、取得した登録データに記録されている操作ユーザの識別情報（２）、操作日時（２）を読み取る（Ｓ０６）。
【００６３】
ステップＳ０６の処理にて読み取った操作ユーザの識別情報（２）と操作日時（２）に基づいて、出入り履歴１０２の登録データを検索し、操作ユーザ（２）が操作日時（２）の時点で立ち入っている操作ユーザ（２）の立ち入り領域（２）を、第２の領域として特定する（Ｓ０７）。
【００６４】
ステップＳ０３の処理において特定した第１の領域と、ステップＳ０７の処理において特定した第２の領域とを比較し（Ｓ０８）、第１の領域と第２の領域とが一致する場合（Ｓ０８ＹＥＳ）、プリンタ管理部１１１は、ユーザ操作があらたに検出されたプリンタ３０の設置領域に変更が無いものと判定してプリンタの設置領域の特定処理を終了する。
【００６５】
一方、ステップＳ０８の判定処理において、第１の領域と第２の領域とが一致しない場合（Ｓ０８ＮＯ）、プリンタ管理部１１１は、プリンタ３０が第１の領域に対応するエリアに移動して設置されたと判定して、プリンタ位置管理情報１０６に記録されているプリンタ３０の設置領域の内容を第１の領域の内容に書き換える（Ｓ０９）。
【図面の簡単な説明】
【００６６】
【図１】本願の印刷装置設置領域管理システムの概要を示す。
【図２】出入り履歴、操作履歴によるプリンタ設置領域の検出例を示す。
【図３】図１に示した、ＰＣ、プリンタ、ゲート管理装置、履歴管理装置の機能を示すブロック図。
【図４】操作履歴、出入り履歴の一例を示す。
【図５】プリンタ設置領域特定処理の動作例を示すフローチャート。
【符号の説明】
【００６７】
１００  履歴管理装置
１０９  履歴管理装置制御部
１１０  履歴管理部
１１１  プリンタ管理部
１１２  ユーザ管理部
１０１  履歴管理装置記憶部
１０２  出入り履歴
１０３  操作履歴
１０４  エリア定義情報
１０５  ユーザ位置管理情報
１０６  プリンタ位置管理情報
１０８  ユーザ管理情報
２０  ＰＣ
２１  表示装置
２２  プリンタ位置表示制御部
２３  履歴通知部
２４  カード読取制御部
２５  ＩＣカード読取部
２６  プリンタ設置領域案内画面
２７  プリンタアイコン
３０  プリンタ
３０Ａ  プリンタＡ
３０Ｂ  プリンタＢ
３１  印刷制御部
３２  カード読取部
３３  操作情報送信部
５０  ゲート部
５１  ゲート開閉装置
５２  カード読取装置
４０  ゲート管理装置
４１  カード読取装置監視部
４２  出入り情報通知部
９０  ＩＣカード
６０  ネットワーク
７１  ユーザＡ
７２  ユーザＢ
７３  ユーザＣ
【図１】
0004780096.tif 000002
【図２】
0004780096.tif 000003
【図３】
0004780096.tif 000004
【図４】
0004780096.tif 000005
【図５】
0004780096.tif 000006